(57)【要約】【課題】  同一の幹線に接続されている住戸端末同士の通信が可能な集合住宅用インターホンシステムを提供する。【解決手段】  伝送メディア変換器４は、第１のポートで信号を受信した場合、受信した信号の送信先が第１のポート側に存在する住戸端末２であれば、受信した信号を所定のレベルに復元した後に第１のポートから送信し、受信した信号の送信先が第２のポート側に存在する住戸端末であれば、受信した信号を第２のポートから送信し、ロビーインターホン１および住戸端末２は、伝送メディア変換器４から主幹線Ｌ１および分岐器５を介して信号を受信し、分岐器５および主幹線Ｌ１を介して伝送メディア変換器４に信号を送信することで互いに通信を行う。【選択図】図１
2010028771.tif 000002
【特許請求の範囲】
【請求項１】
集合住宅の共用玄関に設置されて音声の入出力が可能な共用部装置と、
集合住宅の各住戸にそれぞれ設置されて音声の入出力が可能な住戸端末と、
１つ以上の共用部装置または複数の住戸端末が接続する１乃至複数の第１の幹線と、
第１の幹線と各住戸端末との間に介装される分岐器と、
第１，第２のポートを具備して、第１の幹線を第１のポートに接続し、第１の幹線とは通信プロトコルが異なる第２の幹線を第２のポートに接続し、第１の幹線と第２の幹線との間で通信プロトコルの変換を行う変換器とを備え、
変換器は、第１のポートで信号を受信した場合、受信した信号の送信先が第１のポート側に存在する住戸端末であれば、受信した信号を所定のレベルに増幅した後に第１のポートから転送し、受信した信号の送信先が第２のポート側に存在する住戸端末であれば、受信した信号を第２のポートから転送し、
住戸端末は、分岐器および第１の幹線を介して変換器に信号を送信し、変換器から第１の幹線および分岐器を介して信号を受信することで通信を行う
ことを特徴とする集合住宅用インターホンシステム。
【請求項２】
第１の幹線では、信号を最初に送信した前記住戸端末に付与されたアドレスである送り元アドレスと、現時点で当該信号を最後に送信した住戸端末または前記変換器に付与されたアドレスである送信端末アドレスと、当該信号を次に受信する住戸端末または変換器に付与されたアドレスである受信端末アドレスと、当該信号を最後に受信する住戸端末に付与されたアドレスである宛て先アドレスとを信号に付加して通信を行い、
第２の幹線では、送り元アドレスと、宛て先アドレスとを信号に付加して通信を行い、
変換器は、受信した信号の送り元アドレスおよび送信端末アドレスを、当該変換器が具備する第１，第２のポートのうちいずれかに対応付けた第１のアドレステーブルを作成し、
住戸端末は、第１の幹線を介して接続している変換器のアドレスをデフォルトの受信端末アドレスに設定して信号を送信する
ことを特徴とする請求項１記載の集合住宅用インターホンシステム。
【請求項３】
前記住戸端末は、受信した信号に付加されている送り元アドレスと送信端末アドレスとが互いに異なれば、当該送信端末アドレスを、前記デフォルトの受信端末アドレスに設定することを特徴とする請求項２記載の集合住宅用インターホンシステム。
【請求項４】
前記変換器は、第１のポートで受信した信号の宛て先アドレスと同値の送り元アドレスが第１のアドレステーブルにおいて第１のポートに対応しておれば、受信した信号を第１のポートから転送し、第１のポートで受信した信号の宛て先アドレスと同値の送り元アドレスが第１のアドレステーブルにおいて第２のポートに対応しておれば、受信した信号を第２のポートから転送することを特徴とする請求項２または３記載の集合住宅用インターホンシステム。
【請求項５】
前記変換器は、第２のポートで受信した信号の宛て先アドレスと同値の送り元アドレスが第１のアドレステーブルにおいて第１のポートに対応しておれば、受信した信号を第１のポートから転送し、第２のポートで受信した信号の宛て先アドレスと同値の送り元アドレスが第１のアドレステーブルにおいて第２のポートに対応しておれば、受信した信号を破棄することを特徴とする請求項２乃至４いずれか記載の集合住宅用インターホンシステム。
【請求項６】
前記変換器は、第１のポート，第２のポートで受信した信号の宛て先アドレスと同値の送り元アドレスが第１のアドレステーブルにおいて第１のポート、第２のポートのいずれにも対応していなければ、受信した信号を破棄することを特徴とする請求項２乃至５いずれか記載の集合住宅用インターホンシステム。
【請求項７】
第１の幹線に介挿されて、前記変換器に近い側の第１の幹線を接続する第３のポート、変換器に遠い側の第１の幹線を接続する第４のポートを具備し、第３，第４のポート間を通過する信号を増幅する接続器を備え、
接続器は、受信した信号の送り元アドレスおよび送信端末アドレスを、当該接続器が具備する第３，第４のポートのうちいずれかに対応付けた第２のアドレステーブルを作成する
ことを特徴とする請求項１乃至６いずれか記載の集合住宅用インターホンシステム。
【請求項８】
前記接続器は、第３のポートで受信した信号の宛て先アドレスと同値の送り元アドレスが第２のアドレステーブルにおいて第３のポートに対応しておれば、受信した信号を破棄し、第３のポートで受信した信号の宛て先アドレスと同値の送り元アドレスが第２のアドレステーブルにおいて第４のポートに対応しておれば、受信した信号を第４のポートから転送し、第４のポートで受信した信号の宛て先アドレスと同値の送り元アドレスが第２のアドレステーブルにおいて第３のポートに対応しておれば、受信した信号を第３のポートから転送し、第４のポートで受信した信号の宛て先アドレスと同値の送り元アドレスが第２のアドレステーブルにおいて第４のポートに対応しておれば、受信した信号を第４のポートから転送することを特徴とする請求項７記載の集合住宅用インターホンシステム。
【請求項９】
前記接続器は、第３のポートで受信した信号の宛て先アドレスと同値の送り元アドレスが第２のアドレステーブルにおいて第３のポートに対応しておれば、受信した信号を第３のポートから転送し、第３のポートで受信した信号の宛て先アドレスと同値の送り元アドレスが第２のアドレステーブルにおいて第４のポートに対応しておれば、受信した信号を第４のポートから転送し、第４のポートで受信した信号の宛て先アドレスと同値の送り元アドレスが第２のアドレステーブルにおいて第３のポートに対応しておれば、受信した信号を第３のポートから転送し、第４のポートで受信した信号の宛て先アドレスと同値の送り元アドレスが第２のアドレステーブルにおいて第４のポートに対応しておれば、受信した信号を第４のポートから転送することを特徴とする請求項７記載の集合住宅用インターホンシステム。
【請求項１０】
前記接続器は、第３のポート，第４のポートで受信した信号の宛て先アドレスと同値の送り元アドレスが第２のアドレステーブルにおいて第３のポート、第４のポートのいずれにも対応していなければ、受信した信号を破棄することを特徴とする請求項７乃至９いずれか記載の集合住宅用インターホンシステム。
【発明の詳細な説明】
【技術分野】
【０００１】
本発明は、集合住宅用インターホンシステムに関するものである。
【背景技術】
【０００２】
図１７は、従来の一般的な集合住宅用インターホンシステムの構成の一例を示す。このような集合住宅用インターホンシステムは、集合住宅のロビー（共用玄関）にロビーインターホン装置１０１を設置し、集合住宅の各住戸内には住戸端末１０２を設置し、各住戸の玄関にはドアホン子器１０３を設置している。そして、ロビー玄関の来訪者は、ロビーインターホン装置１０１で所望の住戸内の住戸端末１０２を呼び出し、住戸内の家人と通話を行うことができ、また各住戸の玄関の来訪者は、ドアホン子器１０３で所望の住戸内の住戸端末１０２を呼び出し、住戸内の家人と通話を行うことができる。さらに、ロビーインターホン装置１０１、住戸端末１０２は、マイクロホンやスピーカ等の音声入出力手段だけでなく、ロビーインターホン装置１０１にカメラを設け、住戸端末１０２にモニタ画面を設けており、カメラで撮像したロビー玄関の来訪者の画像を住戸端末１０２のモニタ画面に表示する画像入出力手段を備えている。このとき、ロビーインターホン装置１０１と住戸端末１０２との間で授受される音声や画像の各データは、デジタル圧縮や変調処理を経て、パケット化されて伝送される（例えば、特許文献１参照）。
【０００３】
ロビーインターホン装置１０１から送信される通信パケットは、まず主幹線Ｌ１を伝わり、伝送メディア変換器１０４を経由して、より高速なバックボーン幹線Ｌ２に伝送される。バックボーン幹線Ｌ２には複数の伝送メディア変換器１０４が接続されており、通信パケットは夫々の宛先に応じて、どの伝送メディア変換器１０４を経由して住戸端末１０２に到達すべきか振り分けされる。通信パケットは、宛先に応じて振り分けされた伝送メディア変換器１０４を経由して再び主幹線Ｌ１に伝送される。なお、主幹線Ｌ１の終端には終端器１０６が接続されている。
【０００４】
主幹線Ｌ１では、長距離伝送による信号ロスを補償するために、伝送メディア接続器１０７が挿入されている場合がある。通信パケットは、伝送メディア接続器１０７で中継増幅され、さらに主幹線Ｌ１のインピーダンスを低下させないようにハイインピーダンス分岐させる分岐器１０５を介して住戸端末１０２に到達する。
【特許文献１】特開２００５−１３６４７８号公報
【発明の開示】
【発明が解決しようとする課題】
【０００５】
従来の集合住宅用インターホンシステムでは、住戸間通話等のように、同一の主幹線Ｌ１接続されている住戸端末１０２同士が通信を行おうとした場合、通信パケットは図１８に示すように２つの分岐器１０５を経由する必要がある。しかし、通信パケットは、住戸別線Ｌ３から分岐器１０５を介して主幹線Ｌ１に伝達される際、および主幹線Ｌ１から分岐器１０５を介して住戸別線Ｌ３に伝達される際に、その信号レベルが低下してしまう。したがって、従来、同一の主幹線Ｌ１接続されている住戸端末１０２同士が通信を行おうとすると、２台の分岐器１０５を通過するために、通信パケットの信号レベルが著しく減衰して通信不可能となり、住戸端末１０２同士の通信ができなかった。
【０００６】
本発明は、上記事由に鑑みてなされたものであり、その目的は、同一の幹線に接続されている住戸端末同士の通信が可能な集合住宅用インターホンシステムを提供することにある。
【課題を解決するための手段】
【０００７】
請求項１の発明は、集合住宅の共用玄関に設置されて音声の入出力が可能な共用部装置と、集合住宅の各住戸にそれぞれ設置されて音声の入出力が可能な住戸端末と、１つ以上の共用部装置または複数の住戸端末が接続する１乃至複数の第１の幹線と、第１の幹線と各住戸端末との間に介装される分岐器と、第１，第２のポートを具備して、第１の幹線を第１のポートに接続し、第１の幹線とは通信プロトコルが異なる第２の幹線を第２のポートに接続し、第１の幹線と第２の幹線との間で通信プロトコルの変換を行う変換器とを備え、変換器は、第１のポートで信号を受信した場合、受信した信号の送信先が第１のポート側に存在する住戸端末であれば、受信した信号を所定のレベルに増幅した後に第１のポートから転送し、受信した信号の送信先が第２のポート側に存在する住戸端末であれば、受信した信号を第２のポートから転送し、住戸端末は、分岐器および第１の幹線を介して変換器に信号を送信し、変換器から第１の幹線および分岐器を介して信号を受信することで通信を行うことを特徴とする。
【０００８】
この発明によれば、変換器が第１の幹線へ出力する信号の増幅処理を行ってから転送する簡単な処理で、同一の幹線に接続されている住戸端末同士の通信が可能になる。
【０００９】
請求項２の発明は、請求項１において、第１の幹線では、信号を最初に送信した前記住戸端末に付与されたアドレスである送り元アドレスと、現時点で当該信号を最後に送信した住戸端末または前記変換器に付与されたアドレスである送信端末アドレスと、当該信号を次に受信する住戸端末または変換器に付与されたアドレスである受信端末アドレスと、当該信号を最後に受信する住戸端末に付与されたアドレスである宛て先アドレスとを信号に付加して通信を行い、第２の幹線では、送り元アドレスと、宛て先アドレスとを信号に付加して通信を行い、変換器は、受信した信号の送り元アドレスおよび送信端末アドレスを、当該変換器が具備する第１，第２のポートのうちいずれかに対応付けた第１のアドレステーブルを作成し、住戸端末は、第１の幹線を介して接続している変換器のアドレスをデフォルトの受信端末アドレスに設定して信号を送信することを特徴とする。
【００１０】
この発明によれば、変換器が第１のアドレステーブルに基づいて信号の振り分けを行うとともに、第１の幹線へ出力する信号の増幅処理を行ってから転送する簡単な処理で、同一の幹線に接続されている住戸端末同士の通信が可能になる。
【００１１】
請求項３の発明は、請求項２において、前記住戸端末は、受信した信号に付加されている送り元アドレスと送信端末アドレスとが互いに異なれば、当該送信端末アドレスを、前記デフォルトの受信端末アドレスに設定することを特徴とする。
【００１２】
この発明によれば、住戸端末は、常に同じデフォルトの受信端末アドレス宛に信号を送信すればよいので、動的な処理が不要となり、通信処理の簡略化を図ることができる。
【００１３】
請求項４の発明は、請求項２または３において、前記変換器は、第１のポートで受信した信号の宛て先アドレスと同値の送り元アドレスが第１のアドレステーブルにおいて第１のポートに対応しておれば、受信した信号を第１のポートから転送し、第１のポートで受信した信号の宛て先アドレスと同値の送り元アドレスが第１のアドレステーブルにおいて第２のポートに対応しておれば、受信した信号を第２のポートから転送することを特徴とする。
【００１４】
この発明によれば、変換器は、第１の幹線からの信号に対して第１のアドレステーブルに基づいてパケットフィルタリングを実施するため、同一幹線に接続されている住戸端末間の通信、および異なる幹線に接続されている住戸端末間の通信が可能となる。
【００１５】
請求項５の発明は、請求項２乃至４いずれかにおいて、前記変換器は、第２のポートで受信した信号の宛て先アドレスと同値の送り元アドレスが第１のアドレステーブルにおいて第１のポートに対応しておれば、受信した信号を第１のポートから転送し、第２のポートで受信した信号の宛て先アドレスと同値の送り元アドレスが第１のアドレステーブルにおいて第２のポートに対応しておれば、受信した信号を破棄することを特徴とする。
【００１６】
この発明によれば、変換器は、第２の幹線から受信した信号の宛て先アドレスが、第２の幹線側に対応付けられているときは、その信号を破棄するため、第２の幹線側から第１の幹線側への通信トラフィック量の抑制が可能となる。
【００１７】
請求項６の発明は、請求項２乃至５いずれかにおいて、前記変換器は、第１のポート，第２のポートで受信した信号の宛て先アドレスと同値の送り元アドレスが第１のアドレステーブルにおいて第１のポート、第２のポートのいずれにも対応していなければ、受信した信号を破棄することを特徴とする。
【００１８】
この発明によれば、変換器は、受信した信号の宛て先アドレスが、第１のアドレステーブルに未登録の場合、その信号を破棄するので、不要な信号を低減し、通信トラフィック量の抑制が可能となる。
【００１９】
請求項７の発明は、請求項１乃至６いずれかにおいて、第１の幹線に介挿されて、前記変換器に近い側の第１の幹線を接続する第３のポート、変換器に遠い側の第１の幹線を接続する第４のポートを具備し、第３，第４のポート間を通過する信号を増幅する接続器を備え、接続器は、受信した信号の送り元アドレスおよび送信端末アドレスを、当該接続器が具備する第３，第４のポートのうちいずれかに対応付けた第２のアドレステーブルを作成することを特徴とする。
【００２０】
この発明によれば、第１の幹線上での通信距離を延長するために接続器を設けた場合でも、同一の幹線に接続されている住戸端末同士の通信が可能になる。
【００２１】
請求項８の発明は、請求項７において、前記接続器は、第３のポートで受信した信号の宛て先アドレスと同値の送り元アドレスが第２のアドレステーブルにおいて第３のポートに対応しておれば、受信した信号を破棄し、第３のポートで受信した信号の宛て先アドレスと同値の送り元アドレスが第２のアドレステーブルにおいて第４のポートに対応しておれば、受信した信号を第４のポートから転送し、第４のポートで受信した信号の宛て先アドレスと同値の送り元アドレスが第２のアドレステーブルにおいて第３のポートに対応しておれば、受信した信号を第３のポートから転送し、第４のポートで受信した信号の宛て先アドレスと同値の送り元アドレスが第２のアドレステーブルにおいて第４のポートに対応しておれば、受信した信号を第４のポートから転送することを特徴とする。
【００２２】
この発明によれば、接続器は、第１の幹線上の信号に対して第２のアドレステーブルに基づいてパケットフィルタリングを実施するため、通信トラフィックの抑制が可能となる。
【００２３】
請求項９の発明は、請求項７において、前記接続器は、第３のポートで受信した信号の宛て先アドレスと同値の送り元アドレスが第２のアドレステーブルにおいて第３のポートに対応しておれば、受信した信号を第３のポートから転送し、第３のポートで受信した信号の宛て先アドレスと同値の送り元アドレスが第２のアドレステーブルにおいて第４のポートに対応しておれば、受信した信号を第４のポートから転送し、第４のポートで受信した信号の宛て先アドレスと同値の送り元アドレスが第２のアドレステーブルにおいて第３のポートに対応しておれば、受信した信号を第３のポートから転送し、第４のポートで受信した信号の宛て先アドレスと同値の送り元アドレスが第２のアドレステーブルにおいて第４のポートに対応しておれば、受信した信号を第４のポートから転送することを特徴とする。
【００２４】
この発明によれば、接続器は、第３のポート側での処理と第４のポート側での処理とが同じになるため、施工時に接続器の接続方向に注意する必要がなく、施工の簡便化を図ることができる。
【００２５】
請求項１０の発明は、請求項７乃至９いずれかにおいて、前記接続器は、第３のポート，第４のポートで受信した信号の宛て先アドレスと同値の送り元アドレスが第２のアドレステーブルにおいて第３のポート、第４のポートのいずれにも対応していなければ、受信した信号を破棄することを特徴とする。
【００２６】
この発明によれば、接続器は、受信した信号の宛て先アドレスが、第２のアドレステーブルに未登録の場合、その信号を破棄するので、不要な信号を低減し、通信トラフィック量の抑制が可能となる。
【発明の効果】
【００２７】
以上説明したように、本発明では、同一の幹線に接続されている住戸端末同士の通信が可能になるという効果がある。
【発明を実施するための最良の形態】
【００２８】
以下、本発明の実施の形態を図面に基づいて説明する。
【００２９】
（実施形態１）
図１は、本実施形態の集合住宅用インターホンシステムの構成を示しており、このような集合住宅用インターホンシステムは、集合住宅のロビー（共用玄関）にロビーインターホン装置１を設置し、集合住宅の各住戸内には住戸端末２を設置し、各住戸の玄関にはドアホン子器３を設置している。そして、ロビー玄関の来訪者は、ロビーインターホン装置１で所望の住戸内の住戸端末２を呼び出し、住戸内の家人と通話を行うことができ、また各住戸の玄関の来訪者は、ドアホン子器３で当該住戸内の住戸端末２を呼び出し、住戸内の家人と通話を行うことができる。さらに、ロビーインターホン装置１、住戸端末２は、マイクロホンやスピーカ等の音声入出力手段だけでなく、ロビーインターホン装置１にカメラを設け、住戸端末２にモニタ画面を設けており、カメラで撮像したロビー玄関の来訪者の画像を住戸端末２のモニタ画面に表示する画像入出力手段を備えている。このとき、ロビーインターホン装置１と住戸端末２との間で授受される音声や画像の各データは、デジタル圧縮や変調処理を経て、パケット化されて伝送される。
【００３０】
ロビーインターホン装置１から送信される通信パケットは、まず主幹線Ｌ１を伝わり、伝送メディア変換器４を経由して、より高速なバックボーン幹線Ｌ２に伝送される。バックボーン幹線Ｌ２には複数の伝送メディア変換器４が接続されており、通信パケットは夫々の宛先に応じて、どの伝送メディア変換器４を経由して住戸端末２に到達すべきか振り分けされる。通信パケットは、宛先に応じて振り分けされた伝送メディア変換器４を経由して再び主幹線Ｌ１に伝送される。そして、主幹線Ｌ１のインピーダンスを低下させないようにハイインピーダンス分岐させる分岐器５を主幹線Ｌ１上に介挿して、分岐器５から住戸別線Ｌ３を各住戸の住戸端末２へ配線しており、主幹線Ｌ１上の通信パケットは、分岐器５から住戸別線Ｌ３に伝送されて住戸端末２に到達する。
【００３１】
また、住戸端末２から送信された通信パケットは、住戸別線Ｌ３から分岐器５を介して主幹線Ｌ１を伝わり、伝送メディア変換器４を経由してバックボーン幹線Ｌ２に伝送され、再び伝送メディア変換器４から主幹線Ｌ１を伝わってロビーインターホン装置１に到達する。なお、主幹線Ｌ１の終端には終端器６が接続されている。
【００３２】
主幹線Ｌ１での通信プロトコルは独自の伝送方式であり、主幹線Ｌ１上の通信パケットには、送り元アドレスＳＡ（Source Address）、送信端末アドレスＴＡ（Transmitter Address）、受信端末アドレスＲＡ（Receiver Address）、宛て先アドレスＤＡ（Destination Address）が含まれる。また、バックボーン幹線Ｌ２での通信プロトコルは、主幹線Ｌ１の通信よりも高速なイーサネット（登録商標）を用いており、バックボーン幹線Ｌ２上の通信パケットには、送り元アドレスＳＡ、宛て先アドレスＤＡが含まれる。
【００３３】
なお、送り元アドレスＳＡは、通信パケットを最初に送信した住戸端末２に付与されたアドレスであり、送信端末アドレスＴＡは、現時点で当該通信パケットを最後に送信した住戸端末２または伝送メディア変換器４に付与されたアドレスであり、受信端末アドレスＲＡは、当該通信パケットを次に受信する住戸端末２または伝送メディア変換器４に付与されたアドレスであり、宛て先アドレスＤＡは、当該通信パケットを最後に受信する住戸端末２に付与されたアドレスである。
【００３４】
そして、伝送メディア変換器４は、上記２つの互いに異なる通信プロトコル間で通信パケットのプロトコル変換を行う機能を有しており、通信パケットがバックボーン幹線Ｌ２から主幹線Ｌ１へ伝達される場合には、送信端末アドレスＴＡ、受信端末アドレスＲＡの各情報が通信パケットに付加され、通信パケットが主幹線Ｌ１からバックボーン幹線Ｌ２へ伝達される場合には、送信端末アドレスＴＡ、受信端末アドレスＲＡの各情報が通信パケットから削除される。また、送り元アドレスＳＡ、宛て先アドレスＤＡに対して変換処理は施されない。
【００３５】
以下、本発明の要旨である住戸端末２同士の通信について説明する。例えば、住戸端末２ａが住戸端末２ｂと通信を行う場合、住戸端末２ａは、送り元アドレスＳＡ［住戸端末２ａのアドレス］、送信端末アドレスＴＡ［住戸端末２ａのアドレス］、受信端末アドレスＲＡ［受信端末デフォルトアドレス］、宛て先アドレスＤＡ［住戸端末２ｂのアドレス］を設定した通信パケットを送信する。
【００３６】
ここで、受信端末デフォルトアドレスとは、各住戸端末２ａが存在する主幹線Ｌ１に接続している伝送メディア変換器４に付与されたアドレスであり、主幹線Ｌ１側から見た当該伝送メディア変換器４の自己アドレスのことである。そして、住戸端末２ａは、今までに受信した通信パケットに設定されていた送り元アドレスＳＡと送信端末アドレスＴＡとが互いに異なる場合に、この送信端末アドレスＴＡを受信端末デフォルトアドレスに登録し、以降のパケット送信では、受信端末アドレスＲＡ［受信端末デフォルトアドレス］に設定して、特定の住戸端末２へのユニキャスト送信が可能となる。受信端末デフォルトアドレスが未登録の場合は、受信端末アドレスＲＡ［ＦＦ］、宛て先アドレスＤＡ［ＦＦ］に設定して、ブロードキャスト送信のみを行うことができる。すなわち、受信端末デフォルトアドレスとは、各住戸端末２が通信パケットを送信するときに、当該通信パケットの最初の送信先に設定される伝送メディア変換器４のアドレスのことであり、住戸端末２は、常に同じ受信端末デフォルトアドレス宛に通信パケットを送信すればよいので、動的な処理が不要となり、通信処理の簡略化を図ることができる。
【００３７】
そして、伝送メディア変換器４は、図２に示すように、主幹線Ｌ１に接続するポートＰ２１、バックボーン幹線Ｌ２に接続するポートＰ２０を備えており、主幹線Ｌ１側から見た伝送メディア変換器４の自己アドレスが付与されている。そして、伝送メディア変換器４は、主幹線Ｌ１を伝送される通信パケットのうち、受信端末アドレスＲＡが自己アドレスに一致する通信パケットを受信し、バックボーン幹線Ｌ２を伝送される通信パケットは全て受信する。通信パケットを受信すると、受信した通信パケットの送り元アドレスＳＡ，送信端末アドレスＴＡ、受信ポートの各情報を収集し、図２に示すように、送り元アドレスＳＡ、送信端末アドレスＴＡ、ポート番号を互いに対応付けてブリッジアドレステーブルＴＢ１に格納し、ブリッジアドレステーブルＴＢ１を構築する。すなわち、ブリッジアドレステーブルＴＢ１は、ポート番号［２１］のポートＰ２１側（主幹線Ｌ１側）に存在する住戸端末２、ポート番号［２０］のポートＰ２０側（バックボーン幹線Ｌ２側）に存在する住戸端末２を認識可能に構築され、通信パケットをその宛先に応じて振り分ける処理に用いられる。
【００３８】
図３は、主幹線Ｌ１側の住戸端末２からの通信パケットを受信した場合の伝送メディア変換器４の動作を示すフローチャートであり、まず、主幹線Ｌ１側の住戸端末２からの通信パケットを、伝送メディア変換器４がポートＰ２１を介して受信すると（Ｓ１）、受信した通信パケットに設定されている送り元アドレスＳＡが、ブリッジアドレステーブルＴＢ１に登録されているか否かを判定し（Ｓ２）、当該送り元アドレスＳＡがブリッジアドレステーブルＴＢ１に登録されておれば、実際に通信パケットを受信したポートのポート番号が、ブリッジアドレステーブルＴＢ１内で当該通信パケットの送り元アドレスＳＡに対応するポート番号と同一か否かを判定し（Ｓ３）、同一であれば（すなわち、主幹線Ｌ１側のポートＰ２１のポート番号［２１］であれば）、ブリッジアドレステーブルＴＢ１内のデータ追加、更新を行うことなく、ステップＳ６に進む。
【００３９】
ステップＳ２において、受信した通信パケットに設定されている送り元アドレスＳＡが、ブリッジアドレステーブルＴＢ１に登録されていなければ、当該送り元アドレスＳＡに対応する送信端末アドレスＴＡ、ポート番号とともにブリッジアドレステーブルＴＢ１に格納し、ブリッジアドレステーブルＴＢ１内のデータ追加を行う（Ｓ４）。
【００４０】
ステップＳ３において、実際に通信パケットを受信したポートのポート番号が、ブリッジアドレステーブルＴＢ１内で当該通信パケットの送り元アドレスＳＡに対応するポート番号に一致しなければ、ブリッジアドレステーブルＴＢ１内で当該通信パケットの送り元アドレスＳＡに対応するポート番号を、実際に通信パケットを受信したポートのポート番号に更新する（Ｓ５）。
【００４１】
上記ステップＳ３〜Ｓ５の後、受信した通信パケットの宛て先アドレスＤＡに基づいて、ユニキャスト送信か否かを判定し（Ｓ６）、ユニキャスト送信であれば、受信した通信パケットの宛て先アドレスＤＡが、ブリッジアドレステーブルＴＢ１内のいずれかの送り元アドレスＳＡに一致するか否かを判定する（Ｓ７）。受信した通信パケットの宛て先アドレスＤＡが、ブリッジアドレステーブルＴＢ１内のいずれかの送り元アドレスＳＡに一致すれば、次にブリッジアドレステーブルＴＢ１内の当該送り元アドレスＳＡに対応するポート番号を判別する（Ｓ８）。
【００４２】
ポート番号の判別結果が［２０］であれば、送信端末アドレスＴＡ、受信端末アドレスＲＡの各情報を削除して、送り元アドレスＳＡ、宛て先アドレスＤＡのみを設定した通信パケットを、その信号レベルを所定のレベルにまで増幅した後にポートＰ２０からバックボーン幹線Ｌ２へパケット転送し（Ｓ９）、処理を終了する。
【００４３】
ポート番号の判別結果が［２１］であれば、ブリッジアドレステーブルＴＢ１内の当該送り元アドレスＳＡに対応する送信端末アドレスＴＡを、通信パケットの受信端末アドレスＲＡに設定し（Ｓ１０）、さらに伝送メディア変換器４の自己アドレスを、通信パケットの送信端末アドレスＴＡに設定した通信パケット（送り元アドレスＳＡ、宛て先アドレスＤＡの各情報は変更なし）を、その信号レベルを所定のレベルにまで増幅した後にポートＰ２１から主幹線Ｌ１へパケット転送し（Ｓ１１）、処理を終了する。
【００４４】
また、ステップＳ６において、受信した通信パケットの宛て先アドレスＤＡに基づいて、ユニキャスト送信ではなく、ブロードキャスト送信であると判定されれば、ステップＳ９に進んで、送信端末アドレスＴＡ、受信端末アドレスＲＡの各情報を削除して、送り元アドレスＳＡ、宛て先アドレスＤＡのみを設定した通信パケットを、ポートＰ２０からバックボーン幹線Ｌ２へパケット転送して、処理を終了する。
【００４５】
また、ステップＳ７において、受信した通信パケットの宛て先アドレスＤＡが、ブリッジアドレステーブルＴＢ１内の送り元アドレスＳＡに一致しなければ、受信した通信パケットを破棄して（Ｓ１２）、処理を終了する。
【００４６】
図４は、バックボーン幹線Ｌ２側の住戸端末２からの通信パケット（すなわち、他の主幹線Ｌ１からバックボーン幹線Ｌ２を介して送信された通信パケット）を受信した場合の伝送メディア変換器４の動作を示すフローチャートであり、まず、バックボーン幹線Ｌ２側の住戸端末２からの通信パケットを、伝送メディア変換器４がポートＰ２０を介して受信すると（Ｓ２１）、受信した通信パケットに設定されている送り元アドレスＳＡが、ブリッジアドレステーブルＴＢ１に登録されているか否かを判定し（Ｓ２２）、当該送り元アドレスＳＡがブリッジアドレステーブルＴＢ１に登録されておれば、実際に通信パケットを受信したポートのポート番号が、ブリッジアドレステーブルＴＢ１内で当該通信パケットの送り元アドレスＳＡに対応するポート番号と同一か否かを判定し（Ｓ２３）、同一であれば（すなわち、バックボーン幹線Ｌ２側のポートＰ２０のポート番号［２０］であれば）、ブリッジアドレステーブルＴＢ１内のデータ追加、更新を行うことなく、ステップＳ２６に進む。
【００４７】
ステップＳ２２において、受信した通信パケットに設定されている送り元アドレスＳＡが、ブリッジアドレステーブルＴＢ１に登録されていなければ、当該送り元アドレスＳＡに対応するポート番号とともにブリッジアドレステーブルＴＢ１に格納し、ブリッジアドレステーブルＴＢ１内のデータ追加を行う（Ｓ２４）。
【００４８】
ステップＳ２３において、実際に通信パケットを受信したポートのポート番号が、ブリッジアドレステーブルＴＢ１内で当該通信パケットの送り元アドレスＳＡに対応するポート番号に一致しなければ、ブリッジアドレステーブルＴＢ１内で当該通信パケットの送り元アドレスＳＡに対応するポート番号を、実際に通信パケットを受信したポートのポート番号に更新する（Ｓ２５）。
【００４９】
上記ステップＳ２３〜Ｓ２５の後、受信した通信パケットの宛て先アドレスＤＡに基づいて、ユニキャスト送信か否かを判定し（Ｓ２６）、ユニキャスト送信であれば、受信した通信パケットの宛て先アドレスＤＡが、ブリッジアドレステーブルＴＢ１内のいずれかの送り元アドレスＳＡに一致するか否かを判定する（Ｓ２７）。受信した通信パケットの宛て先アドレスＤＡが、ブリッジアドレステーブルＴＢ１内のいずれかの送り元アドレスＳＡに一致すれば、次にブリッジアドレステーブルＴＢ１内の当該送り元アドレスＳＡに対応するポート番号を判別する（Ｓ２８）。
【００５０】
ポート番号の判別結果が［２１］であれば、ブリッジアドレステーブルＴＢ１内の当該送り元アドレスＳＡに対応する送信端末アドレスＴＡを、通信パケットの受信端末アドレスＲＡに設定し（Ｓ２９）、さらに伝送メディア変換器４の自己アドレスを、通信パケットの送信端末アドレスＴＡに設定した通信パケット（送り元アドレスＳＡ、宛て先アドレスＤＡの各情報は変更なし）を、その信号レベルを所定のレベルにまで増幅した後にポートＰ２１から主幹線Ｌ１へパケット転送し（Ｓ３０）、処理を終了する。
【００５１】
ステップＳ２６においてブロードキャスト送信であると判定された場合、ステップＳ２７において受信した通信パケットの宛て先アドレスＤＡが、ブリッジアドレステーブルＴＢ１内の送り元アドレスＳＡに一致しなかった場合、ステップＳ２８においてポート番号の判別結果が［２０］である場合は、受信した通信パケットを破棄して（Ｓ３１）、処理を終了する。
【００５２】
このように、伝送メディア変換器４は、主幹線Ｌ１からの通信パケットに対してブリッジアドレステーブルＴＢ１に基づいてパケットフィルタリングを実施するため、同一の主幹線Ｌ１に接続されている住戸端末２間の通信、および異なる主幹線Ｌ１に接続されている住戸端末２間の通信が可能となる。また、伝送メディア変換器４は、バックボーン幹線Ｌ２から受信した通信パケットの宛て先アドレスＤＡが、バックボーン幹線Ｌ２側に対応付けられているときは、その通信パケットを破棄するため、バックボーン幹線Ｌ２側から主幹線Ｌ１側への通信トラフィック量の抑制が可能となる。さらに、受信した通信パケットの宛て先アドレスＤＡが、ブリッジアドレステーブルＴＢ１に未登録の場合、その通信パケットを破棄するので、不要な通信パケットを低減し、通信トラフィック量のさらなる抑制が可能となる。
【００５３】
次に、住戸端末２が伝送メディア変換器４を介した通信を行う際の具体的なシーケンスを図５〜図７に示す。図５は、ブリッジアドレステーブルＴＢ１を構築する場合のシーケンスを示しており、ブリッジアドレステーブルＴＢ１がまだ構築されていない伝送メディア変換器４の自己アドレスを［１］、ポートＰ２１のポート番号を［２１］、ポートＰ２０のポート番号を［２０］とし、通信パケットを送信する住戸端末２のアドレスを［５］とする。
【００５４】
ここで、住戸端末２は、ユニキャスト通信を行う場合には受信端末アドレスＲＡに、受信端末デフォルトアドレスを設定する必要がある。しかし、初期状態では受信端末デフォルトアドレスが未設定であるため、ブロードキャスト通信しか行うことができず、ブロードキャスト通信時には、受信端末アドレスＲＡ［ＦＦ］、宛て先アドレスＤＡ［ＦＦ］を設定する。
【００５５】
そして、住戸端末２が、送り元アドレスＳＡ［５］、送信端末アドレスＴＡ［５］、受信端末アドレスＲＡ［ＦＦ］、宛て先アドレスＤＡ［ＦＦ］を設定した通信パケットをブロードキャスト送信すると（Ｓ４１）、ポートＰ２１を介してこの通信パケットを受信した伝送メディア変換器４は、ブリッジアドレステーブルＴＢ１において、送り元アドレスＳＡ［５］、送信端末アドレスＴＡ［５］、ポート番号［２１］を互いに対応付けて格納する。すなわち、アドレス［５］を付与された住戸端末２は、ポート番号［２１］のポートＰ２１側（主幹線Ｌ１側）に存在することを認識可能になる。
【００５６】
さらに、伝送メディア変換器４は、主幹線Ｌ１側の住戸端末２から受信した通信パケットに、送り元アドレスＳＡ［５］、宛て先アドレスＤＡ［ＦＦ］のみを設定して、ポートＰ２０からバックボーン幹線Ｌ２へブロードキャスト送信する（Ｓ４２）。そして、バックボーン幹線Ｌ２へのブロードキャスト送信の返信として、バックボーン幹線Ｌ２を介した別の主幹線Ｌ１上に存在してアドレス［１０］を付与された住戸端末２から、送り元アドレスＳＡ［１０］、宛て先アドレスＤＡ［５］のみを設定した通信パケットがユニキャストで伝達されると（Ｓ４３）、ポートＰ２０を介してこの通信パケットを受信した伝送メディア変換器４は、ブリッジアドレステーブルＴＢ１において、送り元アドレスＳＡ［１０］、ポート番号［２０］を互いに対応付けて格納する。すなわち、アドレス［１０］を付与された住戸端末２は、ポート番号［２０］のポートＰ２０側（バックボーン幹線Ｌ２側）に存在することを認識可能になる。
【００５７】
そして、伝送メディア変換器４は、バックボーン幹線Ｌ２側の住戸端末２から受信した通信パケットに、送り元アドレスＳＡ［１０］、送信端末アドレスＴＡ［１］、受信端末アドレスＲＡ［５］、宛て先アドレスＤＡ［５］を設定し、この通信パケットの信号レベルを所定のレベルにまで増幅した後にポートＰ２１からユニキャスト送信する（Ｓ４４）。
【００５８】
伝送メディア変換器４から通信パケットを受信した主幹線Ｌ１側の住戸端末２は、通信パケットに設定されている送り元アドレスＳＡ［１０］と送信端末アドレスＴＡ［１］とが互いに異なるアドレスであることから、この送信端末アドレスＴＡ［１］を受信端末デフォルトアドレスに登録する。すなわち、主幹線Ｌ１側の住戸端末２は、以降の通信パケットの送信時において、受信端末アドレスＲＡをアドレス［１］に設定するのである。
【００５９】
図６は、同一の主幹線Ｌ１上の住戸端末２ａ，２ｂが互いに通信する場合のシーケンスを示しており、住戸端末２ａはアドレス［５］、住戸端末２ｂはアドレス［６］を付与されており、住戸端末２ａ，２ｂともに、受信端末デフォルトアドレスとして伝送メディア変換器４の自己アドレス「１」を設定している。さらに、伝送メディア変換器４のブリッジアドレステーブルＴＢ１には、住戸端末２ａのアドレス［５］、および住戸端末２ｂのアドレス［６］が、送り元アドレスＳＡ、送信端末アドレスＴＡとして、主幹線Ｌ１側のポート番号［２１］に対応して格納されている。
【００６０】
まず住戸端末２ａが、送り元アドレスＳＡ［５］、送信端末アドレスＴＡ［５］、受信端末アドレスＲＡ［１］、宛て先アドレスＤＡ［６］を設定した通信パケットをユニキャスト送信すると（Ｓ５１）、ポートＰ２１を介してこの通信パケットを受信した伝送メディア変換器４は、ブリッジアドレステーブルＴＢ１を参照して、受信した通信パケットの宛て先アドレスＤＡ［６］が、ブリッジアドレステーブルＴＢ１内のいずれかの送り元アドレスＳＡに一致するか否かを判定する。この場合、受信した通信パケットの宛て先アドレスＤＡ［６］が、ブリッジアドレステーブルＴＢ１内の送り元アドレスＳＡ［６］に一致しており、ブリッジアドレステーブルＴＢ１内の送り元アドレスＳＡ［６］に対応する送信端末アドレスＴＡ［６］を、通信パケットの受信端末アドレスＲＡに設定し、さらに伝送メディア変換器４ａの自己アドレス［１］を、通信パケットの送信端末アドレスＴＡに設定した通信パケット（送り元アドレスＳＡ［５］、送信端末アドレスＴＡ［１］、受信端末アドレスＲＡ［６］、宛て先アドレスＤＡ［６］）を、その信号レベルを所定のレベルにまで増幅した後にポートＰ２１から主幹線Ｌ１へパケット転送する（Ｓ５２）。アドレス［６］を付与された住戸端末２ｂは、受信端末アドレスＲＡ［６］が設定されているこの通信パケットを受信する。
【００６１】
上記のように住戸端末２ａから住戸別線Ｌ３に送信された通信パケットは、分岐器５を介して主幹線Ｌ１に伝達されるときに、分岐器５で損失が発生して信号レベルが低下する。しかし、伝送メディア変換器４は、通信パケットを転送する際に、通信パケットの信号レベルを所定のレベルにまで増幅した後に転送しており、伝送メディア変換器４から主幹線Ｌ１に出力された通信パケットの信号レベルは、元のレベルにまで復元している。そして、通信パケットは、伝送メディア変換器４から主幹線Ｌ１に出力された後、主幹線Ｌ１から分岐器５を介して住戸端末２ｂが接続している住戸別線Ｌ３に伝達される際に、分岐通過する分岐器５での損失によって信号レベルの低下が再び生じるが、この１台の分岐器５による信号レベル低下のみに抑えられている。したがって、住戸端末２間の通信時に、従来では２台の分岐器５による信号レベルの低下が発生していたが、本実施形態では、１台の分岐器５による信号レベル低下に抑えられており、住戸端末２間の通信に必要な信号レベルを確保でき、住戸端末２間の通信が可能となる。
【００６２】
このように、伝送メディア変換器４がアドレステーブルＴＢ１に基づいて通信パケットの振り分けを行うとともに、主幹線Ｌ１へ出力する信号の増幅処理を行ってから転送する簡単な処理で、同一の主幹線Ｌ１に接続されている住戸端末２同士の通信が可能になるのである。
【００６３】
図７は、異なる主幹線Ｌ１上の住戸端末２ａ，２ｃが互いに通信する場合のシーケンスを示しており、住戸端末２ａはアドレス［５］、住戸端末２ｃはアドレス［７］を付与されており、住戸端末２ａは、受信端末デフォルトアドレスとして伝送メディア変換器４ａの自己アドレス「１」を設定し、住戸端末２ｃは、受信端末デフォルトアドレスとして伝送メディア変換器４ｃの自己アドレス「２」を設定している。さらに、伝送メディア変換器４ａのブリッジアドレステーブルＴＢ１ａには、住戸端末２ａのアドレス［５］が、送り元アドレスＳＡ、送信端末アドレスＴＡとして、主幹線Ｌ１側のポート番号［２１］に対応して格納され、住戸端末２ｃのアドレス［７］が、送り元アドレスＳＡとして、バックボーン幹線Ｌ２側のポート番号［２０］に対応して格納されている。また、伝送メディア変換器４ｃのブリッジアドレステーブルＴＢ１ｃには、住戸端末２ｃのアドレス［７］が、送り元アドレスＳＡ、送信端末アドレスＴＡとして、主幹線Ｌ１側のポート番号［２１］に対応して格納されているが、住戸端末２ａの情報はまだ格納されていない。
【００６４】
まず住戸端末２ａが、送り元アドレスＳＡ［５］、送信端末アドレスＴＡ［５］、受信端末アドレスＲＡ［１］、宛て先アドレスＤＡ［７］を設定した通信パケットをユニキャスト送信すると（Ｓ６１）、ポートＰ２１を介してこの通信パケットを受信した伝送メディア変換器４ａは、ブリッジアドレステーブルＴＢ１ａを参照して、受信した通信パケットの宛て先アドレスＤＡ［７］が、ブリッジアドレステーブルＴＢ１ａ内のいずれかの送り元アドレスＳＡに一致するか否かを判定する。この場合、受信した通信パケットの宛て先アドレスＤＡ［７］が、ブリッジアドレステーブルＴＢ１ａ内の送り元アドレスＳＡ［７］に一致しており、受信した通信パケットから送信端末アドレスＴＡ、受信端末アドレスＲＡの各情報を削除して、送り元アドレスＳＡ［５］、宛て先アドレスＤＡ［７］のみを設定した通信パケットを、その信号レベルを所定のレベルにまで増幅した後にポートＰ２０からバックボーン幹線Ｌ２へパケット転送する（Ｓ６２）。
【００６５】
バックボーン幹線Ｌ２へ伝達された通信パケットをポートＰ２０を介して受信した伝送メディア変換器４ｃは、ブリッジアドレステーブルＴＢ１ｃを参照して、受信した通信パケットの宛て先アドレスＤＡ［７］が、ブリッジアドレステーブルＴＢ１ｃ内のいずれかの送り元アドレスＳＡに一致するか否かを判定する。この場合、受信した通信パケットの宛て先アドレスＤＡ［７］が、ブリッジアドレステーブルＴＢ１ｃ内の送り元アドレスＳＡ［７］に一致しており、ブリッジアドレステーブルＴＢ１ｃ内の送り元アドレスＳＡ［７］に対応する送信端末アドレスＴＡ［７］を、通信パケットの受信端末アドレスＲＡに設定し、さらに伝送メディア変換器４ｃの自己アドレス［２］を、通信パケットの送信端末アドレスＴＡに設定した通信パケット（送り元アドレスＳＡ［５］、送信端末アドレスＴＡ［２］、受信端末アドレスＲＡ［７］、宛て先アドレスＤＡ［７］）を、その信号レベルを所定のレベルにまで増幅した後にポートＰ２１から主幹線Ｌ１へパケット転送する（Ｓ６３）。アドレス［７］を付与された住戸端末２ｃは、受信端末アドレスＲＡ［７］が設定されているこの通信パケットを受信する。
【００６６】
また伝送メディア変換器４ｃは、受信した通信パケットに設定されている送り元アドレスＳＡ［５］が、ブリッジアドレステーブルＴＢ１ｃに登録されていないので、送り元アドレスＳＡ［５］に対応するポート番号［２０］とともにブリッジアドレステーブルＴＢ１ｃに格納し、ブリッジアドレステーブルＴＢ１ｃ内のデータ追加を行う。
【００６７】
次に、住戸端末２ｃが、送り元アドレスＳＡ［７］、送信端末アドレスＴＡ［７］、受信端末アドレスＲＡ［２］、宛て先アドレスＤＡ［５］を設定した通信パケットをユニキャスト送信すると（Ｓ６４）、ポートＰ２１を介してこの通信パケットを受信した伝送メディア変換器４ｃは、ブリッジアドレステーブルＴＢ１ｃを参照して、受信した通信パケットの宛て先アドレスＤＡ［５］が、ブリッジアドレステーブルＴＢ１ｃ内のいずれかの送り元アドレスＳＡに一致するか否かを判定する。この場合、受信した通信パケットの宛て先アドレスＤＡ［５］が、ブリッジアドレステーブルＴＢ１ｃ内の送り元アドレスＳＡ［５］に一致しており、受信した通信パケットから送信端末アドレスＴＡ、受信端末アドレスＲＡの各情報を削除して、送り元アドレスＳＡ［７］、宛て先アドレスＤＡ［５］のみを設定した通信パケットを、その信号レベルを所定のレベルにまで増幅した後にポートＰ２０からバックボーン幹線Ｌ２へパケット転送する（Ｓ６５）。
【００６８】
バックボーン幹線Ｌ２へ伝達された通信パケットをポートＰ２０を介して受信した伝送メディア変換器４ａは、ブリッジアドレステーブルＴＢ１ａを参照して、受信した通信パケットの宛て先アドレスＤＡ［５］が、ブリッジアドレステーブルＴＢ１ａ内のいずれかの送り元アドレスＳＡに一致するか否かを判定する。この場合、受信した通信パケットの宛て先アドレスＤＡ［５］が、ブリッジアドレステーブルＴＢ１ａ内の送り元アドレスＳＡ［５］に一致しており、ブリッジアドレステーブルＴＢ１ａ内の送り元アドレスＳＡ［５］に対応する送信端末アドレスＴＡ［５］を、通信パケットの受信端末アドレスＲＡに設定し、さらに伝送メディア変換器４ａの自己アドレス［１］を、通信パケットの送信端末アドレスＴＡに設定した通信パケット（送り元アドレスＳＡ［７］、送信端末アドレスＴＡ［１］、受信端末アドレスＲＡ［５］、宛て先アドレスＤＡ［５］）を、その信号レベルを所定のレベルにまで増幅した後にポートＰ２１から主幹線Ｌ１へパケット転送する（Ｓ６６）。アドレス［５］を付与された住戸端末２ｃは、受信端末アドレスＲＡ［５］が設定されているこの通信パケットを受信する。
【００６９】
上記のように住戸端末２ａ，２ｃから住戸別線Ｌ３に送信された各通信パケットは、分岐器５を介して主幹線Ｌ１に伝達されるときに、分岐器５で損失が発生して信号レベルが低下する。しかし、伝送メディア変換器４ａ，４ｃは、通信パケットを転送する際に、通信パケットの信号レベルを所定のレベルにまで増幅した後に転送しており、伝送メディア変換器４ａ，４ｃから主幹線Ｌ１またはバックボーン幹線Ｌ２に出力された通信パケットの信号レベルは、元のレベルにまで復元している。そして、通信パケットは、伝送メディア変換器４から主幹線Ｌ１に出力された後、主幹線Ｌ１から分岐器５を介して通信先の住戸端末２が接続している住戸別線Ｌ３に伝達される際に、分岐通過する分岐器５での損失によって信号レベルの低下が再び生じるが、この１台の分岐器５による信号レベル低下のみに抑えられている。したがって、バックボーン幹線Ｌ２を介した住戸端末２間の通信時においても、従来では２台の分岐器５による信号レベルの低下が発生していたが、本実施形態では、１台の分岐器５による信号レベル低下に抑えられており、住戸端末２間の通信に必要な信号レベルを確保でき、バックボーン幹線Ｌ２を介した住戸端末２間の通信が可能となる。
【００７０】
（実施形態２）
図８は、本実施形態の集合住宅用インターホンシステムの構成を示しており、主幹線Ｌ１に伝送メディア接続器７を設けた点が実施形態１とは異なり、伝送メディア接続器７は、主幹線Ｌ１上の長距離伝送による信号ロスを補償するために設けられ、通信パケットは伝送メディア接続器７で中継増幅される。なお、実施形態１と同様の構成には同一の符号を付して説明は省略する。
【００７１】
以下、本発明の要旨である住戸端末２同士の通信について説明する。
【００７２】
まず、伝送メディア接続器７は、図９に示すように、伝送メディア変換器４に近い側の主幹線Ｌ１ａに接続するポートＰ２２、伝送メディア変換器４に遠い側の主幹線Ｌ１ｂに接続するポートＰ２３を備えており、主幹線Ｌ１ａ側から見た伝送メディア接続器７の自己アドレス、主幹線Ｌ１ｂ側から見た伝送メディア接続器７の自己アドレスの２つの自己アドレスが付与されている。そして、伝送メディア接続器７は、主幹線Ｌ１ａを伝送される通信パケットのうち、受信端末アドレスＲＡが主幹線Ｌ１ａ側から見た自己アドレスに一致する通信パケットを受信し、また主幹線Ｌ１ｂを伝送される通信パケットのうち、受信端末アドレスＲＡが主幹線Ｌ１ｂ側から見た自己アドレスに一致する通信パケットを受信する。通信パケットを受信すると、受信した通信パケットの送り元アドレスＳＡ，送信端末アドレスＴＡ、受信ポートの各情報を収集し、図９に示すように、送り元アドレスＳＡ、送信端末アドレスＴＡ、ポート番号を互いに対応付けてブリッジアドレステーブルＴＢ２に格納し、ブリッジアドレステーブルＴＢ２を構築する。すなわち、ブリッジアドレステーブルＴＢ２は、ポート番号［２２］のポートＰ２２側（主幹線Ｌ１ａ側）に存在する住戸端末２、ポート番号［２３］のポートＰ２３側（主幹線Ｌ１ｂ側）に存在する住戸端末２を認識可能に構築される。
【００７３】
図１０は、主幹線Ｌ１ａ側の住戸端末２からの通信パケットを受信した場合の伝送メディア接続器７の動作を示すフローチャートであり、まず、主幹線Ｌ１ａ側の住戸端末２からの通信パケットを、伝送メディア接続器７がポートＰ２２を介して受信すると（Ｓ７１）、受信した通信パケットに設定されている送り元アドレスＳＡが、ブリッジアドレステーブルＴＢ２に登録されているか否かを判定し（Ｓ７２）、当該送り元アドレスＳＡがブリッジアドレステーブルＴＢ２に登録されておれば、実際に通信パケットを受信したポートのポート番号が、ブリッジアドレステーブルＴＢ２内で当該通信パケットの送り元アドレスＳＡに対応するポート番号と同一か否かを判定し（Ｓ７３）、同一であれば（すなわち、主幹線Ｌ１ａ側のポートＰ２２のポート番号［２２］であれば）、ブリッジアドレステーブルＴＢ２内のデータ追加、更新を行うことなく、ステップＳ７６に進む。
【００７４】
ステップＳ７２において、受信した通信パケットに設定されている送り元アドレスＳＡが、ブリッジアドレステーブルＴＢ２に登録されていなければ、当該送り元アドレスＳＡに対応する送信端末アドレスＴＡ、ポート番号とともにブリッジアドレステーブルＴＢ２に格納し、ブリッジアドレステーブルＴＢ２内のデータ追加を行う（Ｓ７４）。
【００７５】
ステップＳ７３において、実際に通信パケットを受信したポートのポート番号が、ブリッジアドレステーブルＴＢ２内で当該通信パケットの送り元アドレスＳＡに対応するポート番号に一致しなければ、ブリッジアドレステーブルＴＢ２内で当該通信パケットの送り元アドレスＳＡに対応するポート番号を、実際に通信パケットを受信したポートのポート番号に更新する（Ｓ７５）。
【００７６】
上記ステップＳ７３〜Ｓ７５の後、受信した通信パケットの宛て先アドレスＤＡに基づいて、ユニキャスト送信か否かを判定し（Ｓ７６）、ユニキャスト送信であれば、受信した通信パケットの宛て先アドレスＤＡが、ブリッジアドレステーブルＴＢ２内のいずれかの送り元アドレスＳＡに一致するか否かを判定する（Ｓ７７）。受信した通信パケットの宛て先アドレスＤＡが、ブリッジアドレステーブルＴＢ２内のいずれかの送り元アドレスＳＡに一致すれば、ブリッジアドレステーブルＴＢ２内の当該送り元アドレスＳＡに対応する送信端末アドレスＴＡを、通信パケットの受信端末アドレスＲＡに設定し（Ｓ７８）、次にブリッジアドレステーブルＴＢ２内の当該送り元アドレスＳＡに対応するポート番号を判別する（Ｓ７９）。
【００７７】
ポート番号の判別結果が［２３］であれば、伝送メディア接続器７の主幹線Ｌ１ｂ側から見た自己アドレスを、通信パケットの送信端末アドレスＴＡに設定した通信パケット（送り元アドレスＳＡ、宛て先アドレスＤＡの各情報は変更なし）を、その信号レベルを所定のレベルにまで増幅した後にポートＰ２３から主幹線Ｌ１ｂへパケット転送し（Ｓ８０）、処理を終了する。
【００７８】
また、ステップＳ７７において受信した通信パケットの宛て先アドレスＤＡが、ブリッジアドレステーブルＴＢ２内の送り元アドレスＳＡに一致しない場合、ステップＳ７９においてポート番号の判別結果が［２２］の場合は、受信した通信パケットを破棄して（Ｓ８２）、処理を終了する。
【００７９】
また、ステップＳ７６において、ユニキャスト送信でなければ、受信した通信パケットの宛て先アドレスＤＡを、通信パケットの受信端末アドレスＲＡに設定してから（Ｓ８１）、ステップＳ８０に進む。
【００８０】
図１１は、主幹線Ｌ１ｂ側の住戸端末２からの通信パケットを受信した場合の伝送メディア接続器７の動作を示すフローチャートであり、まず、主幹線Ｌ１ｂ側の住戸端末２からの通信パケットを、伝送メディア接続器７がポートＰ２３を介して受信すると（Ｓ９１）、受信した通信パケットに設定されている送り元アドレスＳＡが、ブリッジアドレステーブルＴＢ２に登録されているか否かを判定し（Ｓ９２）、当該送り元アドレスＳＡがブリッジアドレステーブルＴＢ２に登録されておれば、実際に通信パケットを受信したポートのポート番号が、ブリッジアドレステーブルＴＢ２内で当該通信パケットの送り元アドレスＳＡに対応するポート番号と同一か否かを判定し（Ｓ９３）、同一であれば（すなわち、主幹線Ｌ１ｂ側のポートＰ２３のポート番号［２３］であれば）、ブリッジアドレステーブルＴＢ２内のデータ追加、更新を行うことなく、ステップＳ９６に進む。
【００８１】
ステップＳ９２において、受信した通信パケットに設定されている送り元アドレスＳＡが、ブリッジアドレステーブルＴＢ２に登録されていなければ、当該送り元アドレスＳＡに対応する送信端末アドレスＴＡ、ポート番号とともにブリッジアドレステーブルＴＢ２に格納し、ブリッジアドレステーブルＴＢ２内のデータ追加を行う（Ｓ９４）。
【００８２】
ステップＳ９３において、実際に通信パケットを受信したポートのポート番号が、ブリッジアドレステーブルＴＢ２内で当該通信パケットの送り元アドレスＳＡに対応するポート番号に一致しなければ、ブリッジアドレステーブルＴＢ２内で当該通信パケットの送り元アドレスＳＡに対応するポート番号を、実際に通信パケットを受信したポートのポート番号に更新する（Ｓ９５）。
【００８３】
上記ステップＳ９３〜Ｓ９５の後、受信した通信パケットの宛て先アドレスＤＡに基づいて、ユニキャスト送信か否かを判定し（Ｓ９６）、ユニキャスト送信であれば、受信した通信パケットの宛て先アドレスＤＡが、ブリッジアドレステーブルＴＢ２内のいずれかの送り元アドレスＳＡに一致するか否かを判定する（Ｓ９７）。受信した通信パケットの宛て先アドレスＤＡが、ブリッジアドレステーブルＴＢ２内のいずれかの送り元アドレスＳＡに一致すれば、ブリッジアドレステーブルＴＢ２内の当該送り元アドレスＳＡに対応する送信端末アドレスＴＡを、通信パケットの受信端末アドレスＲＡに設定し（Ｓ９８）、次にブリッジアドレステーブルＴＢ２内の当該送り元アドレスＳＡに対応するポート番号を判別する（Ｓ９９）。
【００８４】
ポート番号の判別結果が［２２］であれば、伝送メディア接続器７の主幹線Ｌ１ａ側から見た自己アドレスを、通信パケットの送信端末アドレスＴＡに設定した通信パケット（送り元アドレスＳＡ、宛て先アドレスＤＡの各情報は変更なし）を、その信号レベルを所定のレベルにまで増幅した後にポートＰ２２から主幹線Ｌ１ａへパケット転送し（Ｓ１００）、処理を終了する。
【００８５】
ポート番号の判別結果が［２３］であれば、伝送メディア接続器７の主幹線Ｌ１ｂ側から見た自己アドレスを、通信パケットの送信端末アドレスＴＡに設定した通信パケット（送り元アドレスＳＡ、宛て先アドレスＤＡの各情報は変更なし）を、その信号レベルを所定のレベルにまで増幅した後にポートＰ２３から主幹線Ｌ１ｂへパケット転送し（Ｓ１０１）、処理を終了する。
【００８６】
また、ステップＳ９７において受信した通信パケットの宛て先アドレスＤＡが、ブリッジアドレステーブルＴＢ２内の送り元アドレスＳＡに一致しない場合は、受信した通信パケットを破棄して（Ｓ１０３）、処理を終了する。
【００８７】
また、ステップＳ９６において、ユニキャスト送信でなければ、受信した通信パケットの宛て先アドレスＤＡを、通信パケットの受信端末アドレスＲＡに設定してから（Ｓ１０２）、ステップＳ１００に進む。
【００８８】
このように、伝送メディア接続器７は、主幹線Ｌ１上の通信パケットに対してブリッジアドレステーブルＴＢ２に基づいてパケットフィルタリングを実施しており、主幹線Ｌ１上での通信距離を延長するために伝送メディア接続器７を設けた場合でも、同一の主幹線Ｌ１に接続されている住戸端末２同士の通信が可能になるとともに、通信トラフィックの抑制が可能となる。また、伝送メディア接続器７は、受信した通信パケットの宛て先アドレスが、ブリッジアドレステーブルＴＢ２に未登録の場合、その通信パケットを破棄するので、不要な通信パケットを低減し、通信トラフィック量のさらなる抑制が可能となる。
【００８９】
次に、住戸端末２が伝送メディア接続器７を介した通信を行う際の具体的なシーケンスを図１２〜図１５に示す。図１２は、伝送メディア変換器４のブリッジアドレステーブルＴＢ１、伝送メディア接続器７のブリッジアドレステーブルＴＢ２を構築する場合のシーケンスを示しており、ブリッジアドレステーブルＴＢ１がまだ構築されていない伝送メディア変換器４の自己アドレスを［１］、ポートＰ２１のポート番号を［２１］、ポートＰ２０のポート番号を［２０］とし、ブリッジアドレステーブルＴＢ２がまだ構築されていない伝送メディア接続器７の主幹線Ｌ１ａから見た自己アドレスを［２］、主幹線Ｌ１ｂから見た自己アドレスを［３］、ポートＰ２２のポート番号を［２２］、ポートＰ２３のポート番号を［２３］とし、通信パケットを送信する主幹線Ｌ１ｂ上の住戸端末２のアドレスを［５］とする。
【００９０】
ここで、住戸端末２は、伝送メディア変換器４に遠い側の主幹線Ｌ１ｂ上に存在しており、ユニキャスト通信を行う場合には受信端末アドレスＲＡに、受信端末デフォルトアドレスを設定する必要がある。しかし、初期状態では受信端末デフォルトアドレスが未設定であるため、ブロードキャスト通信しか行うことができず、ブロードキャスト通信時には、受信端末アドレスＲＡ［ＦＦ］、宛て先アドレスＤＡ［ＦＦ］を設定する。
【００９１】
そして、住戸端末２が、送り元アドレスＳＡ［５］、送信端末アドレスＴＡ［５］、受信端末アドレスＲＡ［ＦＦ］、宛て先アドレスＤＡ［ＦＦ］を設定した通信パケットをブロードキャスト送信すると（Ｓ１０１）、ポートＰ２３を介してこの通信パケットを受信した伝送メディア接続器７は、ブリッジアドレステーブルＴＢ２において、送り元アドレスＳＡ［５］、送信端末アドレスＴＡ［５］、ポート番号［２３］を互いに対応付けて格納する。すなわち、アドレス［５］を付与された住戸端末２は、ポート番号［２３］のポートＰ２３側（主幹線Ｌ１ｂ側）に存在することを認識可能になる。
【００９２】
さらに、伝送メディア接続器７は、主幹線Ｌ１ｂ側の住戸端末２から受信した通信パケットの送信端末アドレスＴＡに、主幹線Ｌ１ａから見た自己アドレス［２］を設定して、信号レベルを所定のレベルにまで増幅した後に、ポートＰ２２から主幹線Ｌ１ａへブロードキャスト送信する（Ｓ１０２）。
【００９３】
そして、ポートＰ２１を介してこの通信パケットを受信した伝送メディア変換器４は、ブリッジアドレステーブルＴＢ１において、送り元アドレスＳＡ［５］、送信端末アドレスＴＡ［２］、ポート番号［２１］を互いに対応付けて格納する。すなわち、アドレス［５］を付与された住戸端末２は、ポート番号［２１］のポートＰ２１側（主幹線Ｌ１ａ側）に存在することを認識可能になる。
【００９４】
さらに、伝送メディア接続器４は、主幹線Ｌ１ａ側の伝送メディア接続器７から受信した通信パケットに、送り元アドレスＳＡ［５］、宛て先アドレスＤＡ［ＦＦ］のみを設定して、その信号レベルを所定のレベルにまで増幅した後にポートＰ２０からバックボーン幹線Ｌ２へブロードキャスト送信する（Ｓ１０３）。
【００９５】
そして、バックボーン幹線Ｌ２へのブロードキャスト送信の返信として、バックボーン幹線Ｌ２を介した別の主幹線Ｌ１上に存在してアドレス［１０］を付与された住戸端末２から、送り元アドレスＳＡ［１０］、宛て先アドレスＤＡ［５］のみを設定した通信パケットがユニキャストで伝達されると（Ｓ１０４）、ポートＰ２０を介してこの通信パケットを受信した伝送メディア変換器４は、ブリッジアドレステーブルＴＢ１において、送り元アドレスＳＡ［１０］、ポート番号［２０］を互いに対応付けて格納する。すなわち、アドレス［１０］を付与された住戸端末２は、ポート番号［２０］のポートＰ２０側（バックボーン幹線Ｌ２側）に存在することを認識可能になる。
【００９６】
次に、伝送メディア変換器４は、バックボーン幹線Ｌ２側の住戸端末２から受信した通信パケットに、送り元アドレスＳＡ［１０］、送信端末アドレスＴＡ［１］、受信端末アドレスＲＡ［２］、宛て先アドレスＤＡ［５］を設定し、この通信パケットの信号レベルを所定のレベルにまで増幅した後にポートＰ２１からユニキャスト送信する（Ｓ１０５）。
【００９７】
伝送メディア変換器４からの通信パケットをポートＰ２２を介して受信した伝送メディア接続器７は、ブリッジアドレステーブルＴＢ２において、送り元アドレスＳＡ［１０］、送信端末アドレスＴＡ［１］、ポート番号［２２］を互いに対応付けて格納する。すなわち、アドレス［１０］を付与された住戸端末２は、ポート番号［２２］のポートＰ２２側（主幹線Ｌ１ａ側）に存在することを認識可能になる。
【００９８】
次に、伝送メディア接続器７は、主幹線Ｌ１ａ側の伝送メディア変換器４から受信した通信パケットに、送り元アドレスＳＡ［１０］、送信端末アドレスＴＡ［３］、受信端末アドレスＲＡ［５］、宛て先アドレスＤＡ［５］を設定し、この通信パケットの信号レベルを所定のレベルにまで増幅した後にポートＰ２３からユニキャスト送信する（Ｓ１０６）。
【００９９】
伝送メディア接続器７から通信パケットを受信した主幹線Ｌ１ｂ上の住戸端末２は、通信パケットに設定されている送り元アドレスＳＡ［１０］と送信端末アドレスＴＡ［３］とが互いに異なるアドレスであることから、この送信端末アドレスＴＡ［３］を受信端末デフォルトアドレスに登録する。すなわち、主幹線Ｌ１ｂ上の住戸端末２は、以降の通信パケットの送信時において、受信端末アドレスＲＡをアドレス［３］に設定するのである。
【０１００】
図１３は、同一の主幹線Ｌ１ｂ上の住戸端末２ａ，２ｂが互いに通信する場合のシーケンスを示しており、住戸端末２ａはアドレス［５］、住戸端末２ｂはアドレス［６］を付与されており、住戸端末２ａ，２ｂともに、受信端末デフォルトアドレスとして伝送メディア接続器７の主幹線Ｌ１ｂから見た自己アドレス「３」を設定している。また、伝送メディア変換器４のブリッジアドレステーブルＴＢ１には、住戸端末２ａのアドレス［５］、伝送メディア接続器７の主幹線Ｌ１ａから見た自己アドレス［２］が、送り元アドレスＳＡ、送信端末アドレスＴＡとして、主幹線Ｌ１ａ側のポート番号［２１］に対応して格納されている。さらに、伝送メディア接続器７のブリッジアドレステーブルＴＢ２には、住戸端末２ａのアドレス［５］、および住戸端末２ｂのアドレス［６］が、送り元アドレスＳＡ、送信端末アドレスＴＡとして、主幹線Ｌ１ｂ側のポート番号［２３］に対応して格納されている。
【０１０１】
まず住戸端末２ａが、送り元アドレスＳＡ［５］、送信端末アドレスＴＡ［５］、受信端末アドレスＲＡ［３］、宛て先アドレスＤＡ［６］を設定した通信パケットをユニキャスト送信すると（Ｓ１１１）、ポートＰ２３を介してこの通信パケットを受信した伝送メディア接続器７は、ブリッジアドレステーブルＴＢ２を参照して、受信した通信パケットの宛て先アドレスＤＡ［６］が、ブリッジアドレステーブルＴＢ２内のいずれかの送り元アドレスＳＡに一致するか否かを判定する。この場合、受信した通信パケットの宛て先アドレスＤＡ［６］が、ブリッジアドレステーブルＴＢ２内の送り元アドレスＳＡ［６］に一致しており、ブリッジアドレステーブルＴＢ２内の送り元アドレスＳＡ［６］に対応する送信端末アドレスＴＡ［６］を、通信パケットの受信端末アドレスＲＡに設定し、さらに伝送メディア接続器７の主幹線Ｌ１ｂから見た自己アドレス［３］を、通信パケットの送信端末アドレスＴＡに設定した通信パケット（送り元アドレスＳＡ［５］、送信端末アドレスＴＡ［３］、受信端末アドレスＲＡ［６］、宛て先アドレスＤＡ［６］）を、その信号レベルを所定のレベルにまで増幅した後にポートＰ２３から主幹線Ｌ１ｂへパケット転送する（Ｓ１１２）。アドレス［６］を付与された住戸端末２ｂは、受信端末アドレスＲＡ［６］が設定されているこの通信パケットを受信する。
【０１０２】
上記のように住戸端末２ａから住戸別線Ｌ３に送信された通信パケットは、分岐器５を介して主幹線Ｌ１ｂに伝達されるときに、分岐器５で損失が発生して信号レベルが低下する。しかし、伝送メディア接続器７は、通信パケットを転送する際に、通信パケットの信号レベルを所定のレベルにまで増幅した後に転送しており、伝送メディア接続器７から主幹線Ｌ１ｂに出力された通信パケットの信号レベルは、元のレベルにまで復元している。そして、通信パケットは、伝送メディア接続器７から主幹線Ｌ１ｂに出力された後、主幹線Ｌ１ｂから分岐器５を介して通信先の住戸端末２ｂが接続している住戸別線Ｌ３に伝達される際に、分岐通過する分岐器５での損失によって信号レベルの低下が再び生じるが、この１台の分岐器５による信号レベル低下のみに抑えられている。したがって、住戸端末２間の通信時に、従来では２台の分岐器５による信号レベルの低下が発生していたが、本実施形態では、１台の分岐器５による信号レベル低下に抑えられており、住戸端末２間の通信に必要な信号レベルを確保でき、住戸端末２間の通信が可能となる。
【０１０３】
図１４は、主幹線Ｌ１ｂ上の住戸端末２ａから主幹線Ｌ１ａ上の住戸端末２ｃへパケット送信する場合のシーケンスを示しており、住戸端末２ａはアドレス［５］、住戸端末２ｃはアドレス［６］を付与されており、住戸端末２ａは、受信端末デフォルトアドレスとして伝送メディア接続器７の主幹線１ｂから見た自己アドレス「３」を設定し、住戸端末２ｃは、受信端末デフォルトアドレスとして伝送メディア変換器４の自己アドレス「１」を設定している。また、伝送メディア変換器４のブリッジアドレステーブルＴＢ１には、住戸端末２ａのアドレス［５］、伝送メディア接続器７の主幹線Ｌ１ａから見た自己アドレス［２］が、送り元アドレスＳＡ、送信端末アドレスＴＡとして、主幹線Ｌ１ａ側のポート番号［２１］に対応して格納され、住戸端末２ｃのアドレス［６］が、送り元アドレスＳＡ、送信端末アドレスＴＡとして、主幹線Ｌ１ａ側のポート番号［２１］に対応して格納されている。さらに、伝送メディア接続器７のブリッジアドレステーブルＴＢ２には、住戸端末２ａのアドレス［５］が、送り元アドレスＳＡ、送信端末アドレスＴＡとして、主幹線Ｌ１ｂ側のポート番号［２３］に対応して格納され、住戸端末２ｃのアドレス［６］、伝送メディア変換器４の自己アドレス［１］が、送り元アドレスＳＡ、送信端末アドレスＴＡとして、主幹線Ｌ１ａ側のポート番号［２２］に対応して格納されている。
【０１０４】
まず住戸端末２ａが、送り元アドレスＳＡ［５］、送信端末アドレスＴＡ［５］、受信端末アドレスＲＡ［３］、宛て先アドレスＤＡ［６］を設定した通信パケットをユニキャスト送信すると（Ｓ１２１）、ポートＰ２３を介してこの通信パケットを受信した伝送メディア接続器７は、ブリッジアドレステーブルＴＢ２を参照して、受信した通信パケットの宛て先アドレスＤＡ［６］が、ブリッジアドレステーブルＴＢ２内のいずれかの送り元アドレスＳＡに一致するか否かを判定する。この場合、受信した通信パケットの宛て先アドレスＤＡ［６］が、ブリッジアドレステーブルＴＢ２内の送り元アドレスＳＡ［６］に一致しており、ブリッジアドレステーブルＴＢ２内の送り元アドレスＳＡ［６］に対応する送信端末アドレスＴＡ［１］を、通信パケットの受信端末アドレスＲＡに設定し、さらに伝送メディア接続器７の主幹線Ｌ１ａから見た自己アドレス［２］を、通信パケットの送信端末アドレスＴＡに設定した通信パケット（送り元アドレスＳＡ［５］、送信端末アドレスＴＡ［２］、受信端末アドレスＲＡ［１］、宛て先アドレスＤＡ［６］）を、その信号レベルを所定のレベルにまで増幅した後にポートＰ２２から主幹線Ｌ１ａへパケット転送する（Ｓ１２２）。
【０１０５】
アドレス［１］を付与された伝送メディア変換器４は、受信端末アドレスＲＡ［１］が設定されているこの通信パケットをポートＰ２１を介して受信する。そして、伝送メディア変換器４は、ブリッジアドレステーブルＴＢ１を参照して、受信した通信パケットの宛て先アドレスＤＡ［６］が、ブリッジアドレステーブルＴＢ１内のいずれかの送り元アドレスＳＡに一致するか否かを判定する。この場合、受信した通信パケットの宛て先アドレスＤＡ［６］が、ブリッジアドレステーブルＴＢ１内の送り元アドレスＳＡ［６］に一致しており、ブリッジアドレステーブルＴＢ１内の送り元アドレスＳＡ［６］に対応する送信端末アドレスＴＡ［６］を、通信パケットの受信端末アドレスＲＡに設定し、さらに伝送メディア変換器４の自己アドレス［１］を、通信パケットの送信端末アドレスＴＡに設定した通信パケット（送り元アドレスＳＡ［５］、送信端末アドレスＴＡ［１］、受信端末アドレスＲＡ［６］、宛て先アドレスＤＡ［６］）を、その信号レベルを所定のレベルにまで増幅した後にポートＰ２１から主幹線Ｌ１ａへパケット転送する（Ｓ１２３）。アドレス［６］を付与された住戸端末２ｃは、受信端末アドレスＲＡ［６］が設定されているこの通信パケットを受信する。
【０１０６】
上記のように住戸端末２ａから住戸別線Ｌ３に送信された通信パケットは、分岐器５を介して主幹線Ｌ１ｂに伝達されるときに、分岐器５で損失が発生して信号レベルが低下する。しかし、伝送メディア変換器４，伝送メディア接続器７は、通信パケットを転送する際に、通信パケットの信号レベルを所定のレベルにまで増幅した後に転送しており、伝送メディア変換器４，伝送メディア接続器７から出力された通信パケットの信号レベルは、元のレベルにまで復元している。そして、通信パケットは、伝送メディア変換器４から主幹線Ｌ１ａに出力された後、主幹線Ｌ１ａから分岐器５を介して通信先の住戸端末２ｃが接続している住戸別線Ｌ３に伝達される際に、分岐通過する分岐器５での損失によって信号レベルの低下が再び生じるが、この１台の分岐器５による信号レベル低下のみに抑えられている。したがって、伝送メディア変換器４および伝送メディア接続器７を介した住戸端末２間の通信時においても、従来では２台の分岐器５による信号レベルの低下が発生していたが、本実施形態では、１台の分岐器５による信号レベル低下に抑えられており、住戸端末２間の通信に必要な信号レベルを確保でき、伝送メディア変換器４および伝送メディア接続器７を介した住戸端末２間の通信が可能となる。
【０１０７】
図１５は、主幹線Ｌ１ａ上の住戸端末２ｃから主幹線Ｌ１ｂ上の住戸端末２ａへパケット送信する場合のシーケンスを示しており、まず住戸端末２ｃが、送り元アドレスＳＡ［６］、送信端末アドレスＴＡ［６］、受信端末アドレスＲＡ［１］、宛て先アドレスＤＡ［５］を設定した通信パケットをユニキャスト送信すると（Ｓ１３１）、ポートＰ２１を介してこの通信パケットを受信した伝送メディア変換器４は、ブリッジアドレステーブルＴＢ１を参照して、受信した通信パケットの宛て先アドレスＤＡ［５］が、ブリッジアドレステーブルＴＢ１内のいずれかの送り元アドレスＳＡに一致するか否かを判定する。この場合、受信した通信パケットの宛て先アドレスＤＡ［５］が、ブリッジアドレステーブルＴＢ１内の送り元アドレスＳＡ［５］に一致しており、ブリッジアドレステーブルＴＢ１内の送り元アドレスＳＡ［５］に対応する送信端末アドレスＴＡ［２］を、通信パケットの受信端末アドレスＲＡに設定し、さらに伝送メディア変換器４の自己アドレス［１］を、通信パケットの送信端末アドレスＴＡに設定した通信パケット（送り元アドレスＳＡ［６］、送信端末アドレスＴＡ［１］、受信端末アドレスＲＡ［２］、宛て先アドレスＤＡ［５］）を、その信号レベルを所定のレベルにまで増幅した後にポートＰ２１から主幹線Ｌ１ａへパケット転送する（Ｓ１３２）。
【０１０８】
主幹線Ｌ１ａから見た自己アドレス［２］を付与された伝送メディア接続器７は、受信端末アドレスＲＡ［２］が設定されているこの通信パケットをポートＰ２２を介して受信する。そして、伝送メディア接続器７は、ブリッジアドレステーブルＴＢ２を参照して、受信した通信パケットの宛て先アドレスＤＡ［５］が、ブリッジアドレステーブルＴＢ２内のいずれかの送り元アドレスＳＡに一致するか否かを判定する。この場合、受信した通信パケットの宛て先アドレスＤＡ［５］が、ブリッジアドレステーブルＴＢ２内の送り元アドレスＳＡ［５］に一致しており、ブリッジアドレステーブルＴＢ２内の送り元アドレスＳＡ［５］に対応する送信端末アドレスＴＡ［５］を、通信パケットの受信端末アドレスＲＡに設定し、さらに伝送メディア接続器７の主幹線Ｌ１ｂから見た自己アドレス［３］を、通信パケットの送信端末アドレスＴＡに設定した通信パケット（送り元アドレスＳＡ［６］、送信端末アドレスＴＡ［３］、受信端末アドレスＲＡ［５］、宛て先アドレスＤＡ［５］）を、その信号レベルを所定のレベルにまで増幅した後にポートＰ２３から主幹線Ｌ１ｂへパケット転送する（Ｓ１３３）。アドレス［５］を付与された住戸端末２ａは、受信端末アドレスＲＡ［５］が設定されているこの通信パケットを受信する。
【０１０９】
上記のように住戸端末２ｃから住戸別線Ｌ３に送信された通信パケットは、分岐器５を介して主幹線Ｌ１ａに伝達されるときに、分岐器５で損失が発生して信号レベルが低下する。しかし、伝送メディア変換器４，伝送メディア接続器７は、通信パケットを転送する際に、通信パケットの信号レベルを所定のレベルにまで増幅した後に転送しており、伝送メディア変換器４，伝送メディア接続器７から出力された通信パケットの信号レベルは、元のレベルにまで復元している。そして、通信パケットは、伝送メディア接続器７から主幹線Ｌ１ｂに出力された後、主幹線Ｌ１ｂから分岐器５を介して通信先の住戸端末２ａが接続している住戸別線Ｌ３に伝達される際に、分岐通過する分岐器５での損失によって信号レベルの低下が再び生じるが、この１台の分岐器５による信号レベル低下のみに抑えられている。したがって、伝送メディア変換器４および伝送メディア接続器７を介した住戸端末２間の通信時においても、従来では２台の分岐器５による信号レベルの低下が発生していたが、本実施形態では、１台の分岐器５による信号レベル低下に抑えられており、住戸端末２間の通信に必要な信号レベルを確保でき、伝送メディア変換器４および伝送メディア接続器７を介した住戸端末２間の通信が可能となる。
【０１１０】
（実施形態３）
本実施形態の集合住宅用インターホンシステムは、実施形態２と同様の構成を備えるが、伝送メディア接続器７が主幹線Ｌ１ａ側の住戸端末２から通信パケットを受信した場合の動作が実施形態２における動作（図１０参照）とは異なるものである。
【０１１１】
図１６は、本実施形態において伝送メディア接続器７が主幹線Ｌ１ａ側の住戸端末２から通信パケットを受信した場合の動作を示す。そして、実施形態２と同様のステップＳ７１〜Ｓ７５の後、受信した通信パケットの宛て先アドレスＤＡに基づいて、ユニキャスト送信か否かを判定し（Ｓ７６）、ユニキャスト送信であれば、受信した通信パケットの宛て先アドレスＤＡが、ブリッジアドレステーブルＴＢ２内のいずれかの送り元アドレスＳＡに一致するか否かを判定する（Ｓ７７）。受信した通信パケットの宛て先アドレスＤＡが、ブリッジアドレステーブルＴＢ２内のいずれかの送り元アドレスＳＡに一致すれば、ブリッジアドレステーブルＴＢ２内の当該送り元アドレスＳＡに対応する送信端末アドレスＴＡを、通信パケットの受信端末アドレスＲＡに設定し（Ｓ７８）、次にブリッジアドレステーブルＴＢ２内の当該送り元アドレスＳＡに対応するポート番号を判別する（Ｓ７９）。
【０１１２】
そして、ステップＳ７９においてポート番号の判別結果が［２２］の場合、実施形態２では受信した通信パケットを破棄していたが、本実施形態では受信した通信パケットを破棄することなく、伝送メディア接続器７の主幹線Ｌ１ａ側から見た自己アドレスを、通信パケットの送信端末アドレスＴＡに設定した通信パケット（送り元アドレスＳＡ、宛て先アドレスＤＡの各情報は変更なし）を、その信号レベルを所定のレベルにまで増幅した後にポートＰ２２から主幹線Ｌ１ａへパケット転送する（Ｓ８３）。なお、正常なシステムでは、伝送メディア接続器７が主幹線Ｌ１ａ側の住戸端末２から通信パケットを受信した場合に、通信パケットを主幹線Ｌ１ａ側へ転送することは運用上ありえないことであり、上記ステップＳ８３へ進むことはないが、本実施形態には以下のような利点がある。
【０１１３】
本実施形態では、主幹線Ｌ１ａ側の住戸端末２からの通信パケットを受信した場合の伝送メディア接続器７の動作を、図１１に示される主幹線Ｌ１ｂ側の住戸端末２からの通信パケットを受信した場合の伝送メディア接続器７の動作と同様にすることによって、伝送メディア接続器７のポートＰ２２側の動作と、ポートＰ２３側の動作とを区別する必要がない。したがって、伝送メディア接続器７は、ポートＰ２２側での処理とポートＰ２３側での処理とが同じになるため、施工時において接続方向に注意する必要がなく、施工の簡便化を図ることができる。
【図面の簡単な説明】
【０１１４】
【図１】実施形態１の集合住宅用インターホンシステムの構成を示す図である。
【図２】同上の伝送メディア変換器を示す図である。
【図３】同上の伝送メディア変換器の動作フローチャートを示す図である。
【図４】同上の伝送メディア変換器の動作フローチャートを示す図である。
【図５】同上のブリッジアドレステーブル構築時のシーケンスを示す図である。
【図６】同上の住戸端末同士による通信時のシーケンスを示す図である。
【図７】同上の住戸端末同士による通信時のシーケンスを示す図である。
【図８】実施形態２の集合住宅用インターホンシステムの構成を示す図である。
【図９】同上の伝送メディア接続器を示す図である。
【図１０】同上の伝送メディア接続器の動作フローチャートを示す図である。
【図１１】同上の伝送メディア接続器の動作フローチャートを示す図である。
【図１２】同上のブリッジアドレステーブル構築時のシーケンスを示す図である。
【図１３】同上の住戸端末同士による通信時のシーケンスを示す図である。
【図１４】同上の住戸端末同士による通信時のシーケンスを示す図である。
【図１５】同上の住戸端末同士による通信時のシーケンスを示す図である。
【図１６】実施形態３の伝送メディア接続器の動作フローチャートを示す図である。
【図１７】従来の集合住宅用インターホンシステムの構成を示す図である。
【図１８】同上の住戸端末同士による通信を示す図である。
【符号の説明】
【０１１５】
１  ロビーインターホン
２  住戸端末
３  ドアホン子器
４  伝送メディア変換器
５  分岐器
６  終端器
Ｌ１  主幹線
Ｌ２  バックボーン幹線
Ｌ３  住戸別線
【図１】
2010028771.tif 000003
【図２】
2010028771.tif 000004
【図３】
2010028771.tif 000005
【図４】
2010028771.tif 000006
【図５】
2010028771.tif 000007
【図６】
2010028771.tif 000008
【図７】
2010028771.tif 000009
【図８】
2010028771.tif 000010
【図９】
2010028771.tif 000011
【図１０】
2010028771.tif 000012
【図１１】
2010028771.tif 000013
【図１２】
2010028771.tif 000014
【図１３】
2010028771.tif 000015
【図１４】
2010028771.tif 000016
【図１５】
2010028771.tif 000017
【図１６】
2010028771.tif 000018
【図１７】
2010028771.tif 000019
【図１８】
2010028771.tif 000020